(57)【要約】【課題】  化粧料とアプリケーターを一体型にした化粧品として使い勝手が良く、化粧料の少ない使用量に適し且つ携帯に便利な化粧品を得る。【解決手段】  板状に成形された発泡樹脂を素材とする支持部材２に、上下面方向に打ち抜かれた貫通穴３を単数又は複数形成し、貫通穴３には発泡樹脂を素材とするアプリケーター部材４を着脱自在に嵌合し、アプリケーター部材４の上面には化粧料５を塗着して設けることにより、化粧時に、支持部材２の貫通穴３に嵌合しているアプリケーター部材４を貫通穴３から抜き取り、アプリケーター部材４を摘まんで上面に設けられている化粧料５を肌に塗布するといった簡単な手法により化粧することができ、また、使用後は、アプリケーター部材４を支持部材２の貫通穴３に嵌め込んで戻すことができるようにした。【選択図】  図２
2019013453.tif 000002
【特許請求の範囲】
【請求項１】
板状に成形された発泡樹脂を素材とする支持部材に、上下面方向に打ち抜かれた貫通穴が単数又は複数形成され、前記貫通穴には発泡樹脂を素材とするアプリケーター部材が着脱自在に嵌合され、アプリケーター部材の上面には化粧料が塗着されて設けられていることを特徴とする化粧品。
【請求項２】
前記化粧料が塗着される前記アプリケーター部材の上面には、化粧料剥落防止層が積層されていることを特徴とする請求項１に記載の化粧品。
【請求項３】
前記アプリケーター部材は、前記貫通穴の輪郭内側に存在する柱状打ち抜き部からなることを特徴とする請求項１または２に記載の化粧品。
【請求項４】
前記アプリケーター部材の上面は、前記支持部材の上面より低いことを特徴とする請求項１から３までのいずれか１項に記載の化粧品。
【請求項５】
前記支持部材は、前記アプリケーター部材を嵌合する前記貫通穴が形成されたアプリケーター支持部と、前記貫通穴と同形状のスペース穴が形成されたスペーサー部とからなり、前記スペーサー部が前記アプリケーター支持部の上面に、前記スペース穴が前記貫通穴と一致するように重ねられていることを特徴とする請求項４に記載の化粧品。
【請求項６】
前記貫通穴に前記化粧料が設けられた前記アプリケーター部材が嵌合されている前記支持部材の上面には、再粘着性フィルムからなるカバー部材が前記アプリケーター部材を覆うように設けられていることを特徴とする請求項１から５までのいずれか１項に記載の化粧品。
【請求項７】
前記アプリケーター部材の下面には、脂取り紙が設けられていることを特徴とする請求項１から６までのいずれか１項に記載の化粧品。
【請求項８】
前記アプリケーター部材の下面には、シリコン膜が設けられていることを特徴とする請求項１から６までのいずれか１項に記載の化粧品。
【発明の詳細な説明】
【技術分野】
【０００１】
本発明は、持ち運びに便利で簡易に使用できる化粧品に関する。
【背景技術】
【０００２】
化粧品の多くは、化粧料を収容した化粧料容器と、化粧料を肌に塗布するためのパフ、ブラシ、チップ等のアプリケーターとが別個に用意されている。このため、化粧の際に、必要な化粧料容器と、化粧に使用するアプリケーターをそれぞれ準備しなければならないといった煩わしさがあり、また、例えば普段の持ち運びや旅行などで携帯する場合にも不便である。
【０００３】
そこで、このような煩わしさや不便さのない化粧品として、化粧料とアプリケーターを一体型にした化粧品が多く見られるようになってきた。化粧料とアプリケーターを一体型にした化粧品は、日常の生活のなかの化粧直し用として、また、旅行などに便利な携帯用として、また、例えば、色の異なる化粧料の色合いを試す試供品として多く使用されるに至っている。
【０００４】
このような化粧料とアプリケーターを一体型にした化粧品として、化粧料を収容した容器本体と、前記容器本体内の前記化粧料を外部に流出させ被塗布部に塗布するアプリケーターとなる塗布体と、前記塗布体を保持する環状の塗布体保持部を備えた化粧品が知られている（例えば、特許文献１参照。）。
【先行技術文献】
【特許文献】
【０００５】
【特許文献１】特開２０１５−１１９９００号公報
【発明の概要】
【発明が解決しようとする課題】
【０００６】
しかしながら、上記特許文献１に記載されたような化粧品は、一般に化粧料の容量が大きいことが多く、収容された化粧料を使い切れずに無駄にしてしまうといった問題がある。
特に旅行時など、化粧直しに使用されるような場合や、色の異なる化粧料の色合いを試す試供品として使用されるような場合は、化粧料の量も数回使用可能であればよい。
【０００７】
また、特許文献１に記載されたような化粧品は、化粧料の収容量が多く、また、化粧料を収容した容器本体と、容器本体内の化粧料を外部に流出させ被塗布部に塗布するアプリケーターとなる塗布体と、塗布体を保持する環状の塗布体保持部を備えた構成となっているので嵩張るといったことから、特に旅行時など、化粧直しに使用される場合や、色の異なる化粧料の色合いを試す試供品として使用される場合のような、数回しか使用されない化粧品には適さないといった問題がある。
また、収容量が多く使用回数も多いアプリケーターを一体型にした化粧品は、アプリケーターが汚れやすく、そのため洗浄する等、定期的に衛生的に保つメンテナンスが必要となり、手間が掛かるといった問題がある。
【０００８】
本発明の目的は、化粧料とアプリケーターを一体型にした化粧品として使い勝手が良く、化粧料の少ない使用量に適し且つ携帯に便利で且つ衛生的に保つ手間のかからない化粧品を提供することにある。
【課題を解決するための手段】
【０００９】
上記の目的を達成するために、請求項１に記載の発明は、板状に成形された発泡樹脂を素材とする支持部材に、上下面方向に打ち抜かれた貫通穴が単数又は複数形成され、前記貫通穴には発泡樹脂を素材とするアプリケーター部材が着脱自在に嵌合され、アプリケーター部材の上面には化粧料が塗布されて設けられていることを特徴とする。
【００１０】
請求項１に記載の発明によれば、板状に成形された発泡樹脂を素材とする支持部材に、上下面方向に打ち抜かれた貫通穴が単数又は複数形成され、前記貫通穴には発泡樹脂を素材とするアプリケーター部材が着脱自在に嵌合され、アプリケーター部材の上面には化粧料が設けられているので、化粧時に、前記支持部材の前記貫通穴に嵌合している前記アプリケーター部材を前記貫通穴から抜き取り、抜き取った前記アプリケーター部材を摘まんで上面に設けられている前記化粧料を肌に塗布するといった簡単な手法により化粧することができ、また、使用後は、前記アプリケーター部材を前記支持部材の前記貫通穴に嵌め込んで戻すことができる。
そして、前記アプリケーター部材の上面に設けられている前記化粧料は塗布により設けられているので量は少なく、一回或いは数回しか使用されないような化粧品に最適である。
また、前記支持部材に形成された前記貫通穴が複数で、それぞれの貫通穴に嵌合された前記アプリケーター部材の上面に設けられる前記化粧料を異なる種類の化粧料としたり、或いは色の異なる化粧料とすることにより、旅行時などで化粧直しに使用される化粧品や、色の異なる化粧料の色合いを試す試供品として使用される化粧品として便利である。
また、前記貫通穴の形状を円柱だけでなく、立方体やハート型、星形などの形状とすることによりデザイン性を発揮させ、使用者の趣味感を満足させることができる。
【００１１】
請求項２に記載の発明は、請求項１に記載の、前記化粧料が塗着される前記アプリケーター部材の上面には、化粧料剥落防止層が積層されていることを特徴とする。
【００１２】
請求項２に記載の発明によれば、前記化粧料が塗着される前記アプリケーター部材の上面には、化粧料剥落防止層が積層されているので、前記化粧料の内面と前記アプリケーター部材の上面との間に安定した固定状態が得られ、前記アプリケーター部材の上面からの前記化粧料の剥落を防止することができる。
【００１３】
請求項３に記載の発明は、請求項１または２に記載の、前記アプリケーター部材は、前記貫通穴の輪郭内側に存在する柱状打ち抜き部からなることを特徴とする。
【００１４】
請求項３に記載の発明によれば、前記アプリケーター部材は、前記貫通穴の輪郭内側に存在する柱状打ち抜き部からなるので、製造が容易であり、安価に得ることができる。
【００１５】
請求項４に記載の発明は、請求項１から３までのいずれか１項に記載の、前記アプリケーター部材の上面は、前記支持部材の上面より低いことを特徴とする。
【００１６】
請求項４に記載の発明によれば、前記アプリケーター部材の上面は、前記支持部材の上面より低いので、前記アプリケーター部材の上面に設けられた前記化粧料が前記支持部材の上面から出ないようにすることができ、前記支持部材の上面を適宜のカバーで覆ったとき、前記アプリケーター部材の上面に設けられた前記化粧料がカバーに接触し、付着してしまうといった事態を防ぐことができる。
【００１７】
請求項５に記載の発明は、請求項４に記載の、前記支持部材は、前記アプリケーター部材を嵌合する前記貫通穴が形成されたアプリケーター支持部と、前記貫通穴と同形状のスペース穴が形成されたスペーサー部とからなり、前記スペーサー部が前記アプリケーター支持部の上面に、前記スペース穴が前記貫通穴と一致するように重ねられていることを特徴とする。
【００１８】
請求項５に記載の発明によれば、前記アプリケーター部材の上面を、簡単な構成で前記支持部材の上面より低くすることができる。
【００１９】
請求項６に記載の発明は、請求項１から５までのいずれか１項に記載の、前記貫通穴に前記化粧料が設けられた前記アプリケーター部材が嵌合されている前記支持部材の上面には、再粘着性フィルムからなるカバー部材が前記アプリケーター部材を覆うように設けられていることを特徴とする。
【００２０】
請求項６に記載の発明によれば、前記貫通穴に前記化粧料が設けられた前記アプリケーター部材が嵌合されている前記支持部材の上面には、再粘着性フィルムからなるカバー部材が前記アプリケーター部材を覆うように設けられているので、前記アプリケーター部材の上面に設けられた前記化粧料を保護することができ、携帯に便利である。
【００２１】
請求項７に記載の発明は、請求項１から６までのいずれか１項に記載の、前記アプリケーター部材の下面には、脂取り紙が設けられていることを特徴とする。
【００２２】
請求項７に記載の発明によれば、前記アプリケーター部材の下面には、脂取り紙が設けられているので、化粧の際、前記アプリケーター部材の下面に設けられている脂取り紙により皮膚の脂取りを行うことができるので、脂取り紙を別途用意する必要が無く、便利である。
【００２３】
請求項８に記載の発明は、請求項１から６までのいずれか１項に記載の、前記アプリケーター部材の下面には、シリコン膜が設けられていることを特徴とする。
【００２４】
請求項８に記載の発明によれば、前記アプリケーター部材の下面には、シリコン膜が設けられているので、化粧直しや化粧のなじませ面として使用することができ、便利である。
【発明の効果】
【００２５】
本発明に係る化粧品によれば、化粧料とアプリケーターを一体型にした化粧品として使い勝手が良く、化粧料の少ない使用量に適し且つ携帯に便利な化粧品を得ることができる。
【図面の簡単な説明】
【００２６】
【図１】本発明に係る化粧品の実施の形態の一例を示す分解斜視図である。
【図２】図１のＡ−Ａ線拡大断面図である。
【図３】アプリケーター部材の上面に積層した化粧料剥落防止層の一例を示す説明図である。
【図４】アプリケーター部材の上面に積層した化粧料剥落防止層の他例を示す説明図である。
【図５】アプリケーター部材の上面に積層した化粧料剥落防止層の他例を示す説明図である。
【図６】支持部材の貫通穴に嵌合されるアプリケーター部材の上面が支持部材の上面より低く形成されている状態の支持部材とアプリケーター部材の一例を示す正面図である。
【図７】支持部材の貫通穴に嵌合されるアプリケーター部材の上面が支持部材の上面より低く形成されている状態の支持部材とアプリケーター部材の他例を示す正面図である。
【図８】支持部材の貫通穴に嵌合されるアプリケーター部材の上面が支持部材の上面より低く形成されている状態の支持部材とアプリケーター部材の他例を示す正面図である。
【図９】図１に示す支持部材からアプリケーター部材を抜き取る状態を示す説明図である。
【図１０】図１に示す支持部材からアプリケーター部材を抜き取る状態の他例を示す説明図である。
【図１１】抜き取ったアプリケーター部材の斜視図である。
【発明を実施するための形態】
【００２７】
以下、本発明に係る化粧品の実施の形態の一例を図面を参照して詳細に説明する。
図１は本例の化粧品を示す分解斜視図、図２は図１のＡ−Ａ線拡大断面図、図３はアプリケーター部材の上面に積層した化粧料剥落防止層の一例を示す説明図、図４はアプリケーター部材の上面に積層した化粧料剥落防止層の他例を示す説明図、図５はアプリケーター部材の上面に積層した化粧料剥落防止層の他例を示す説明図、図６は支持部材の貫通穴に嵌合されるアプリケーター部材の上面が支持部材の上面より低く形成されている状態の支持部材とアプリケーター部材の一例を示す正面図、図７は支持部材の貫通穴に嵌合されるアプリケーター部材の上面が支持部材の上面より低く形成されている状態の支持部材とアプリケーター部材の他例を示す正面図、図８は支持部材の貫通穴に嵌合されるアプリケーター部材の上面が支持部材の上面より低く形成されている状態の支持部材とアプリケーター部材の他例を示す正面図、図９は図１に示す支持部材からアプリケーター部材を抜き取る状態を示す説明図、図１０は図１に示す支持部材からアプリケーター部材を抜き取る状態の他例を示す説明図、図１１は抜き取ったアプリケーター部材の斜視図である。
【００２８】
本例の化粧品１は、板状に成形された発泡樹脂を素材とする支持部材２に、上下面方向に打ち抜かれた貫通穴３が複数形成され、貫通穴３には発泡樹脂を素材とするアプリケーター部材４が着脱自在に嵌合され、アプリケーター部材４の上面４ａには化粧料５が塗布されて設けられている。支持部材２の素材となる発泡樹脂は特に限定されるものではない。本例ではウレタンフォームが使用されている。また、支持部材２の厚さは、化粧品１の形状を維持できれば特に限定されるものではないが、３ｍｍ〜３０ｍｍが好ましい。
【００２９】
また、支持部材２に形成された貫通穴３に嵌合されたアプリケーター部材４の素材となる発泡樹脂は肌当たりがよいものであれば特に限定されるものではない。本例では支持部材２と同様にウレタンフォームが使用されている。また、アプリケーター部材４の厚さは、支持部材２からの着脱や、アプリケーター部材４を摘まみ、上面４ａに塗着された化粧料５を肌に塗布するのに支障がなければ特に限定されるものではないが、支持部材２と同様に３ｍｍ〜３０ｍｍが好ましい。
【００３０】
アプリケーター部材４の形成にあっては、本例では、筒状の刃型（図示せず）により支持部材２を上下面方向に打ち抜き、打ち抜き線６の輪郭内側を貫通穴３とし、貫通穴３の輪郭内側に存在する柱状打ち抜き部７をアプリケーター部材４としている（図２参照。）。
【００３１】
また、本例では、化粧料５が塗着されるアプリケーター部材４の上面４ａには、図３〜図５に示すように、アプリケーター部材４の上面４ａからの化粧料５の剥落を防止する化粧料剥落防止層８や、アプリケーター部材４に化粧料５に含まれる油剤成分が浸透することを防止するアプリケーター部材保護層８が積層されている。
【００３２】
化粧料剥落防止層８は、アプリケーター部材４の上面４ａと化粧料５の内面との間に固着状態を得ることができるものであれば特に限定されない。化粧料剥落防止層８としては、例えば、化粧料５へ食い込む表面粗さを有するシート状基材８ａや、化粧料５になじむ接着剤層８ｂが挙げられる。
【００３３】
化粧料剥落防止層８に用いられるシート状基材８ａとしては、紙、不織布、布や、ポリエステル、ポリプロピレン、ポリカーボネート等のプラスチックフィルムを用いることができる。シート状基材８ａの表面は、ＪＩＳ  Ｂ０６５１  に規定の触針式表面粗さ測定器で測定し、ＪＩＳ  Ｂ０６０１−１９８２  に記載の方法に準拠した中心線平均粗さ１〜１０００μｍの表面粗さを有している。
表面粗さが１０００μｍを超えると、シート状基材８ａに塗着した化粧料５がシート状基材８ａに形成される表面粗さの凹凸の中に深く入り込み過ぎてしまい、使用時に化粧料５の取り残しが多くなり化粧料５に無駄が生じることになる。表面粗さが１μｍ未満であると、シート状基材８ａに塗着した化粧料５がシート状基材８ａに形成される表面粗さへの食い込みが浅く、化粧料５がアプリケーター部材４の上面４ａから剥落し易くなる。
【００３４】
また、接着剤層８ｂを形成する接着剤としては、特開２００９−５９１９で開示されている液体膨潤性の接着剤等があり、アルコール膨潤性樹脂を主体とする接着剤、好ましくは、アクリル樹脂系またはウレタン樹脂系のアルコール膨潤性樹脂が用いられ、水系の増粘剤を適宜添加し、適度な粘度に調整して使用することができる。
【００３５】
アプリケーター部材保護層８としては、例えば、化粧料５に含まれる油剤成分が浸透することを防止するシート状基材８ａが挙げられる。アプリケーター部材保護層８に用いられるシート状基材８ａとしては、ポリエステル、ポリプロピレン、ポリカーボネート等のプラスチックフィルムを用いることができる。
【００３６】
図３〜図５は、それぞれアプリケーター部材４の上面４ａに積層した化粧料剥落防止層８の一例を示すものである。
【００３７】
図３は、化粧料剥落防止層８またはアプリケーター部材保護層８がシート状基材８ａである場合を示しており、アプリケーター部材４の上面４ａにシート状基材８ａが接着剤（図示せず。）で接着されて積層されている。ここで用いられる接着剤は、アプリケーター部材４とシート状基材８ａの接着状態を維持でき、また、アプリケーター部材４とシート状基材８ａを変質させないものであれば特に限定されないが、アクリル系接着剤、ウレタン系接着剤が好ましい。
【００３８】
このようなシート状基材８ａは、特に化粧料５が口紅など油性の化粧料５である場合に適している。油性の化粧料５に含まれる油剤成分はアプリケーター部材４を形成するウレタンフォームを変質してしまうので、アプリケーター部材保護層８をシート状基材８ａとすることにより、油性の化粧料５とアプリケーター部材４を断絶し、ウレタンフォームが変質されるといった事態を防止できることになる。
【００３９】
図４は、化粧料剥落防止層８が接着剤層８ｂである場合を示している。このような化粧料剥落防止層８は、特に化粧料５が粉体である場合に適している。粉体の化粧料５はスラリー化されて塗着されて設けられるが、スラリー化されている粉体の化粧料５は接着剤層８ｂの接着剤の膨潤作用を受けて接着剤層８ｂになじみ、アプリケーター部材４の上面４ａと化粧料５の内面との間に接着剤層８ｂを介して固着状態を得ることができることになる。
【００４０】
図５は、化粧料剥落防止層８が、シート状基材８ａの上面に接着剤層８ｂを設けた積層構造からなる場合を示している。このような化粧料剥落防止層８は、図３に示す化粧料剥落防止層８と同様に、シート状基材６ａがアプリケーター部材４の上面４ａに接着剤（図示せず。）で接着されて積層されている。ここで用いられる接着剤は、図３に示すアプリケーター部材４とシート状基材８ａを接着する接着剤と同様の接着剤が用いられる。
【００４１】
このような構造の化粧料剥落防止層８は、特に化粧料５が粉体であり、また化粧料５のシート状基材８ａへの食い込みが弱く、化粧料５が化粧料剥落防止層８から特に剥落しやすい場合に適している。シート状基材８ａの上面に接着剤層８ｂを設けることで、化粧料５がシート状基材８ａに形成される表面粗さに食い込む効果と、接着剤層８ｂによる接着効果の相乗効果が得られ、化粧料５の剥落を防止することができる。
【００４２】
また、支持部材２に形成された貫通穴３に嵌合されているアプリケーター部材４の上面４ａは、本例では支持部材２の上面２ａより低く形成されている。
アプリケーター部材４の上面４ａを支持部材２の上面２ａより低く形成する手段にあっては、本例では、支持部材２の成形時に、支持部材２の上面２ａの貫通穴３が開口する位置に、貫通穴３の輪郭に沿った凹部９を型で予め成形しておき、凹部９の輪郭に沿って支持部材２を上下面方向に打ち抜くことにより、図６に示すように、支持部材２に形成された貫通穴３に嵌合されたアプリケーター部材４の上面４ａが支持部材２の上面２ａより低くなるようにしている。
【００４３】
また、他例として、図７に示すように、支持部材２を、アプリケーター部材４を嵌合する貫通穴３が形成された上面１０ａが平らなアプリケーター支持部１０と、貫通穴３と同形状のスペース穴１１が形成されたスペーサー部１２とで構成し、スペーサー部１２をアプリケーター支持部１０の上面１０ａに、スペース穴１１が貫通穴３と一致するように重ね接着して一体にすることにより、支持部材２に形成された貫通穴３に嵌合されたアプリケーター部材４の上面４ａが支持部材２の上面２ａより低くなるようにすることもできる。
【００４４】
また、他例として、図８に示すように、後述するカバー部材１３の下面に前記のスペーサー部１２を接着してカバー部材１３の一部とし、スペーサー部１２をアプリケーター支持部１０の上面１０ａに重ねて接着することにより、支持部材２に形成された貫通穴３に嵌合されたアプリケーター部材４の上面４ａが支持部材２の上面２ａより低くなるようにすることもできる。この場合、スペーサー部１２はアプリケーター支持部１０の上面１０ａに再張り付け可能な粘着材で接着されており、スペーサー部１２はカバー部材１３と一体となってアプリケーター支持部１０の上面１０ａから剥離される。
【００４５】
また、アプリケーター部材４の上面４ａに設けられた化粧料５にあっては、粉体化粧料や油性化粧料などアプリケーター部材４の上面４ａに塗布して設けることができるものであれば特に限定されるものでなく、その種類も口紅、ファンデーション、アイシャドーなど肌に塗布する化粧料５が設けられる。
アプリケーター部材４の上面４ａに設けられた化粧料５の量にあっては、化粧品１の使用目的に応じ、例えば、１回或いは数回に使用に供する量が設けられる。また、アプリケーター部材４の上面４ａへ設けられる化粧料５は、スクリーン印刷その他の公知の塗布手段により塗布して設けられる。
【００４６】
また、本例では、貫通穴３に化粧料５が設けられたアプリケーター部材４が嵌合されている支持部材２の上面２ａには、再粘着性フィルムからなるカバー部材１３がアプリケーター部材４の上面４ａを覆うように設けられている。
【００４７】
また、本例では、アプリケーター部材４の下面４ｂに脂取り紙１４が設けられている。本例では、貫通穴３が形成される前の支持部材２の下面２ａに脂取り紙１４が設けられ、貫通穴３の形成時に支持部材２とともに打ち抜かれ、貫通穴３に嵌合するアプリケーター部材４の抜き取り時に、アプリケーター部材４の下面４ｂに設けられた状態でアプリケーター部材４と一体となって抜き取られるようになっている。
なお、本例では、アプリケーター部材４の下面４ｂに脂取り紙１４が設けられているが、脂取り紙１４に代えてシリコン膜１５を設けることもできる。
【００４８】
このように構成される化粧品によれば、支持部材２に、上下面方向に打ち抜かれた貫通穴３が複数形成され、貫通穴３には発泡樹脂を素材とするアプリケーター部材４が着脱自在に嵌合され、アプリケーター部材４の上面４ａには化粧料５が塗布されて設けられているので、化粧時に、図９に示すように、支持部材２の上面２ａに設けられているカバー部材１３を剥がし、支持部材２の貫通穴３に嵌合しているアプリケーター部材４を上から抜き取り、或いは、図１０に示すように、支持部材２の上面２ａに設けられているカバー部材１３をそのままにしておき、支持部材２の貫通穴３に嵌合しているアプリケーター部材４を下から抜き取り、抜き取ったアプリケーター部材４を摘まんで上面４ａに設けられている化粧料５を肌に塗布するといった簡単な手法により化粧することができる。
【００４９】
アプリケーター部材４の下面４ｂに脂取り紙１４が設けられているので、化粧の際、アプリケーター部材４の下面４ｂに設けられている脂取り紙１４により皮膚の脂取りを行うことができ、化粧の乗りをよくすることができる。また、アプリケーター部材４の下面４ｂに、脂取り紙１４に代えてシリコン膜１５を設けておけば、化粧直しや化粧のなじませ面として使用することができる。
【００５０】
本例では、支持部材２に複数の貫通穴３が形成され、貫通穴３にそれぞれアプリケーター部材４が嵌合されているので、それぞれの貫通穴３に嵌合されたアプリケーター部材４の上面４ａに設けられる化粧料５を異なる種類の化粧料５としたり、或いは色の異なる化粧料５とすることにより、旅行時などで化粧直しに使用される化粧品１や、色の異なる化粧料の色合いを試す試供品として使用される化粧品１として便利である。
そして、使用後は、アプリケーター部材４を支持部材２の貫通穴３に嵌め込んで戻すことができる。
【００５１】
また、本例では、貫通穴３にアプリケーター部材４が嵌合されている支持部材２の上面２ａには、再粘着性フィルムからなるカバー部材１３がアプリケーター部材４の上面４ａを覆うように設けられているので、不使用時には、カバー部材１２によりアプリケーター部材４の上面４ａに設けられた化粧料５を保護することができる。そして、化粧時には、支持部材２の上面２ａからカバー部材１３を剥がし、必要な化粧料５が設けられているアプリケーター部材４を抜き取り、そして、化粧後は、抜き取ったアプリケーター部材４を貫通孔３に戻し、カバー部材１３によりアプリケーター部材４の上面４ａに接着してアプリケーター部材４の上面４ａを覆うことができる。
【００５２】
また、本例では、アプリケーター部材４の形成は、支持部材２を上下面方向に打ち抜き、打ち抜き線６の輪郭内側を貫通穴３とし、貫通穴３の輪郭内側に存在する柱状打ち抜き部７をアプリケーター部材４としているので、アプリケーター部材４を容易に形成できる。
【００５３】
また、本例では、支持部材２に形成された貫通穴３に嵌合されているアプリケーター部材４の上面４ａは、支持部材２の上面２ａより低く形成されているので、アプリケーター部材４の上面４ａに設けられた化粧料５が支持部材２の上面２ａから出ないようにすることができ、支持部材２の上面２ａをカバー部材１３で覆ったとき、アプリケーター部材４の上面４ａに設けられた化粧料５がカバー部材１３に接触し、付着してしまうといった事態を防ぐことができる。
【符号の説明】
【００５４】
１  化粧品
２  支持部材
２ａ  上面
２ｂ  下面
３  貫通穴
４  アプリケーター部材
４ａ  上面
４ｂ  下面
５  化粧料
６  打ち抜き線
７  柱状打ち抜き部
８  化粧料剥落防止層・アプリケーター部材保護層
８ａ  シート状基材
８ｂ  接着剤層
９  凹部
１０  アプリケーター支持部
１０ａ  上面
１１  スペース穴
１２  スペーサー部
１３  カバー部材
１４  脂取り紙
１５  シリコン膜
【図１】
2019013453.tif 000003
【図２】
2019013453.tif 000004
【図３】
2019013453.tif 000005
【図４】
2019013453.tif 000006
【図５】
2019013453.tif 000007
【図６】
2019013453.tif 000008
【図７】
2019013453.tif 000009
【図８】
2019013453.tif 000010
【図９】
2019013453.tif 000011
【図１０】
2019013453.tif 000012
【図１１】
2019013453.tif 000013